(57)【特許請求の範囲】
【請求項１】
駆動ローラ（１４）と加圧ローラ（３４）とでプラテン（２）上のロール紙の両側を挾持し、前記駆動ローラ（１４）の回転によって、ロール紙を、作図部材（１２）の上に搬送し、該作図部材（１２）の作図位置上で前記ロール紙に記録ヘッド（２２）により記録を行い、記録後カッタ（２８）を前記ロール紙を横切る方向に移動して、該ロール紙をカットするようにしたプロッタにおいて、前記プラテン（２）の用紙排出側に、用紙を略水平に案内する水平案内部（４ａ）と、用紙を下方向に案内する屈曲案内部（４ｂ）とを設け、前記水平案内部（４ａ）又はその近傍に段部（Ｄ１）（Ｄ２）を形成し、カット処理後、ロール紙のカット施行部分が前記段部（Ｄ１）（Ｄ２）に接触するように前記ロール紙を前後に高速移動させるようにしたことを特徴とするプロッタ。
【発明の詳細な説明】
【０００１】
【発明の属する技術分野】
本発明はＣＡＤホストコンピュータの出力機器として用いられインクジェット型などの大型プリンタ即ちプロッタに関する。
【０００２】
【従来の技術】
駆動ローラと加圧ローラとでプラテン上のロール紙の両側を挾持し、前記駆動ローラの回転によって、ロール紙を、作図部材の上に搬送し、該作図部材の作図位置上で前記ロール紙に記録ヘッドにより記録を行い、記録後カッタによって前記ロール紙を横切る方向に移動して、該ロール紙をカットするようにしたペンプロッタが従来知られている。上記従来のプロッタでは、カッタの刃先量、カット圧、カッタの寿命などでロール紙の記録済み部分が完全に切り離されない場合がある。そのため、従来のプロッタは、ロール紙をプロッタの手前に引き出し、ロール紙を前後に動かして記録済み部分を振り落していた。
【０００３】
【発明が解決しようとする課題】
使用するロール紙が厚紙などの場合には、カッタの切込み量が充分でない場合があり、この場合、ロール紙を前後に動かしても、記録済み部分を振り落すことができなかった。
本発明は上記問題点を解決することを目的とするものである。
【０００４】
【課題を解決するための手段】
上記目的を達成するため、本発明は、駆動ローラ（１４）と加圧ローラ（３４）とでプラテン（２）上のロール紙の両側を挾持し、前記駆動ローラ（１４）の回転によって、ロール紙を、作図部材（１２）の上に搬送し、該作図部材（１２）の作図位置上で前記ロール紙に記録ヘッド（２２）により記録を行い、記録後カッタ（２８）を前記ロール紙を横切る方向に移動して、該ロール紙をカットするようにしたプロッタにおいて、前記プラテン（２）の用紙排出側に、用紙を略水平に案内する水平案内部（４ａ）と、用紙を下方向に案内する屈曲案内部（４ｂ）とを設け、前記水平案内部（４ａ）又はその近傍に段部（Ｄ１）（Ｄ２）を形成し、カット処理後、ロール紙のカット施行部分が前記段部（Ｄ１）（Ｄ２）に接触するように前記ロール紙を前後に高速移動させるようにしたものである。
【０００５】
【発明の実施の形態】
以下に本発明の実施の形態を、添付した図面を参照して詳細に説明する。
図２において、（２）はインクジェット式プロッタ（大型プリンタ）のプラテンであり、前部ペーパーガイド（４）と、後部ペーパーガイド（６）とを備えている。前記プラテン（２）は、脚台（８）に支承されている。前記ペーパーガイド（４）（６）は、用紙の幅よりも広い横幅を有し、プラテン（２）の後方から前方に用紙即ち記録媒体（１０）を案内するように配置されている。プラテン（２）の略中央には作図部材（１２）が配置され、この作図部材（１２）の作図位置の上面で印字が行われるように構成されている。
【０００６】
前記作図部材（１２）と前記後部ペーパーガイド（６）との対向部の隙間には一対の駆動ローラ（１４）（他方は図示省略）が配置され、該駆動ローラ（１４）は、駆動軸（２０）に取り付けられている。駆動軸（２０）はプラテン（２）内の台（１６）に固定された軸ホルダ（１８）に回転可能に支承され、コントローラにより制御されるＸモータに動力伝達機構を介して連結している。（２２）はインクジェット式の記録ヘッドであり、図２中、紙面垂直方向即ちＹ軸に沿って延びる、Ｙ軸ガイドレール（２４）に移動自在に取り付けられた担体（２６）に取り付けられている。前記担体（２６）には、カッタ（２８）を昇降可能に保持するカッタヘッド（３０）が取り付けられている。
【０００７】
前記担体（２６）は、コントローラによって制御されるＹモータに、前記Ｙ軸ガイドレール（２４）に沿って往復動可能に連結している。前記Ｙ軸ガイドレール（２４）は前記本体（２）に架設され、該Ｙ軸ガイドレール（２４）に一対の可動ローラホルダ（３２）（他方は図示省略）が昇降ガイド（図示省略）を介して、昇降可能に支承されている。前記可動ローラホルダ（３２）の各々には加圧ローラ（３４）が回転自在に軸支されている。（３４）はカットを施行するためのカッタマットであり、作図部材（１２）と平行に配置され、該カッタマット（３４）は前部ペーパーガイド（４）に固定されている。（３６）はバキューム装置であり、該装置により記録媒体（１０）の下面に所定範囲にわたってバキューム力を作用させることができるように構成されている。
【０００８】
前記前部ペーパーガイド（４）は、ロ−ル用紙（１０）を略水平に案内する水平案内部（４ａ）と、用紙（１０）を下方向に案内する屈曲案内部（４ｂ）とから構成され、水平案内部（４ａ）に、段部（Ｄ１）（Ｄ２）が横幅方向の全長にわたって形成されている。
【０００９】
次に本実施形態の動作について説明する。
ペーパーガイド（４）（６）上に記録媒体即ちロ−ル用紙（１０）の繰りだし部をセットするには、可動ローラホルダ（３２）を上昇させた状態で、後部ペーパーガイド（６）上から、ロ−ル用紙（１０）の繰りだし部の両側を、駆動ローラ（１４）と、加圧ローラ（３４）との間に挿入する。次に、可動ローラホルダ（３２）を上昇位置に保持するアクチュエータをオフとすると、可動ローラホルダ（３２）は、ばねの引張力によって下降し、加圧ローラ（３４）が、ロ−ル用紙（１０）の上から対応する駆動ローラ（１４）に弾接し、用紙（１０）の両側は、駆動ローラ（１４）と加圧ローラ（３４）とでグリップ（挾持）される。
【００１０】
この状態で、駆動ローラ（１４）は、図２中、時計方向に間欠回転し、用紙（１０）は、作図部材（１２）上を、下向きにバキューム力を受けながら、矢方向（Ｂ）に搬送される。一方、記録ヘッド（２２）は、作図部材（１２）の上を、Ｙ軸方向に往復移動し、インク吐出口からインクを吐出して、記録媒体（１０）に印字作画を行う。
【００１１】
印字が完了すると、ロール紙（１０）の所定部分がカットマット（３４）のカット溝（３８）上に移動され、カッタ（２８）が下降して、担体（２６）がＹレール（２４）に沿って移動して、ロール紙（１０）が切断される。このロール紙１０の切断部分（４２）が不完全であり、ロール紙（１０）の記録済み部分が、プラテン（２）から落下しないときは、用紙検出センサ（図示省略）の信号に基づいて、コントローラは、用紙振り落し動作に移行する。この振り落し動作は、プラテン（２）の段部（Ｄ１）（Ｄ２）に、ロール紙（１０）の切断部分（４２）が当るように、ロール用紙（１０）が駆動ローラ（１４）の正逆回転により駆動され、切断部分（４２）が、所定の範囲（Ｗ）でＡＢ方向に前後動される。用紙（１０）の不完全切断部分（４２）は、段部（Ｄ１）（Ｄ２）に当ると、この部分から圧力を受け、不完全切断部分（４２）が完全に切り離されて、ロール紙（１０）の記録済み部部がプラテン（２）から落下する。
【００１２】
【発明の効果】
本発明は上述の如く構成したので、ロール紙の記録済み部分を確実に切り離すことができる効果が存する。
【図面の簡単な説明】
【図１】本発明の要部の拡大断面図である。
【図２】プロッタの説明的側面図である。
【符号の説明】
２    プラテン
４    ペーパーガイド
６    ペーパーガイド
８    脚台
１０  ロール紙（記録媒体）
１２  作図部材
１４  駆動ローラ
１６  台
１８  ホルダ
２０  駆動軸
２２  記録ヘッド
２４  Ｙ軸ガイドレール
２６  担体
２８  カッタ
３０  カッタヘッド
３２  可動ローラホルダ
３４  加圧ローラ
３６  カッタマット
４０  バキューム装置
【図１】
0003924366.tif 000002
【図２】
0003924366.tif 000003